(57)【特許請求の範囲】
【請求項１】
バックライトからフィードバック電圧を受け取るように構成されており、前記フィードバック電圧をベース電圧と比較し、比較結果の大きさに基づいて前記比較結果に対する増幅係数および増幅速度を調節し、増幅結果を制御信号として出力するために使用される、誤差増幅ユニットと、
前記誤差増幅ユニットから前記制御信号を受け取るように構成されており、前記制御信号に応じて、電源から前記バックライトに出力される電圧信号を変調するように、対応するデューティ・サイクルを有するパルス幅変調調光信号を出力するために使用される、駆動制御ユニットと、
を備え、
前記誤差増幅ユニットが複数の誤差増幅器を含み、前記誤差増幅器の比較端子が前記フィードバック電圧を受け取るように相互に結合され、前記誤差増幅器の基準端子が異なる基準電圧を受け取り、前記誤差増幅器の出力端子が前記制御信号を出力するように相互に結合され、前記基準電圧それぞれが前記ベース電圧の倍数であり、
前記誤差増幅ユニットが誤差増幅器ＯＰｉを含み、ｉ＝−Ｎ．．．＋Ｎで、Ｎが１以上の整数であり、ｉ番目の増幅器の前記基準電圧ＶＲＥＦｉが前記ベース電圧ＶＲＥＦ０に関して以下の関係を満たし、
ＶＲＥＦｉ＝（１＋ｐ×ｉ）ＶＲＥＦ０
ここで、ｐは０よりも大きい調節パラメータである、
バックライト駆動回路。
【請求項２】
前記調節パラメータｐが０．１に等しい、
請求項１に記載のバックライト駆動回路。
【請求項３】
前記誤差増幅器が鏡像の仕方で分布する、
請求項１に記載のバックライト駆動回路。
【請求項４】
前記誤差増幅器が鏡像の仕方で分布する、
請求項２に記載のバックライト駆動回路。
【請求項５】
前記誤差増幅器が電流増幅器である、
請求項１に記載のバックライト駆動回路。
【請求項６】
前記誤差増幅ユニットに結合された、前記誤差増幅ユニットに前記基準電圧を供給するために使用される、基準電圧生成ユニット、
をさらに備える、請求項１に記載のバックライト駆動回路。
【請求項７】
前記誤差増幅ユニットに結合された、前記誤差増幅ユニットに前記基準電圧を供給するために使用される、基準電圧生成ユニット、
をさらに備える、請求項３に記載のバックライト駆動回路。
【請求項８】
前記誤差増幅ユニットに結合された、前記誤差増幅ユニットに前記基準電圧を供給するために使用される、基準電圧生成ユニット、
をさらに備える、請求項５に記載のバックライト駆動回路。
【請求項９】
表示パネルおよびバックライト・モジュールを含む液晶ディスプレイ装置であって、前記バックライト・モジュールが、
バックライトからフィードバック電圧を受け取るように構成されており、前記フィードバック電圧をベース電圧と比較し、前記比較結果の大きさに基づいて前記比較結果に対する増幅係数および増幅速度を調節し、増幅結果を制御信号として出力するために使用される、誤差増幅ユニットと、
前記誤差増幅ユニットから前記制御信号を受け取るように構成されており、前記制御信号に応じて、電源から前記バックライトに出力される電圧信号を変調するように、対応するデューティ・サイクルを有するパルス幅変調調光信号を出力するために使用される、駆動制御ユニットと、
を備えるバックライト駆動回路を含み、
前記誤差増幅ユニットが複数の誤差増幅器を含み、前記誤差増幅器の比較端子が前記フィードバック電圧を受け取るように相互に結合され、前記誤差増幅器の基準端子が異なる基準電圧を受け取り、前記誤差増幅器の出力端子が前記制御信号を出力するように相互に結合され、前記基準電圧それぞれが前記ベース電圧の倍数であり、
前記誤差増幅ユニットが誤差増幅器ＯＰｉを含み、ｉ＝−Ｎ．．．＋Ｎで、Ｎが１以上の整数であり、ｉ番目の増幅器の前記基準電圧ＶＲＥＦｉが前記ベース電圧ＶＲＥＦ０に関して以下の関係を満たし、
ＶＲＥＦｉ＝（１＋ｐ×ｉ）ＶＲＥＦ０
ここで、ｐは０よりも大きい調節パラメータである、
液晶ディスプレイ装置。
【請求項１０】
前記誤差増幅器が鏡像の仕方で分布する、
請求項９に記載の液晶ディスプレイ装置。
【発明の詳細な説明】
【技術分野】
【０００１】
本開示は、ディスプレイ装置のためのバックライト駆動技術、詳細にはバックライト駆動回路、ならびに液晶ディスプレイ装置およびその駆動方法に関する。
【背景技術】
【０００２】
現状の画像ディスプレイ技術の分野では、ＴＦＴ  ＬＣＤ（薄膜トランジスター液晶ディスプレイ）は、その優れた性能のために、際立っており、携帯電話、コンピュータ、テレビなどの様々な用途において急速に拡大している。液晶ディスプレイ装置では、バックライトの透過率は、電圧の影響を受けながら、非発光の液晶分子の偏向によって制御され、それによって画像ディスプレイの機能が実現される。このような次第であるので、バックライト・モジュールの動作性能の改善は、ディスプレイ技術における重要な開発動向となった。
【０００３】
現在、液晶ディスプレイ装置の主流メーカーは、ＬＥＤランプのようなバックライトのための駆動回路として、図１に示されるような、パルス幅変調調光機能を有する昇圧コンバータを使用しており、それによりＬＥＤランプに動作電圧を供給し、ＬＥＤランプの輝度を制御するために動作電圧の大きさを調節している。この回路では、駆動制御ユニットは、主要な回路ユニットの１つであり、この駆動制御ユニットが、ある特定のデューティ・サイクルを有するパルス幅変調調光信号（略してＰＷＭ調光信号と呼ばれる）を出力するために入力制御信号に基づいて鋸波信号を変調する役割を果たす。ＰＷＭ調光信号は、電源からＬＥＤランプへ出力される電圧信号Ｖｉｎを変調するために使用され、変調された電圧信号Ｖｏｕｔが、ＬＥＤランプを駆動するためにＬＥＤランプに印加される。その間、短い応答時間および良好な電圧安定化効果を実現するために、ＬＥＤランプの電圧は、フィードバック電圧ＶＦＢとして収集され、駆動制御ユニットの前段に位置する誤差増幅ユニットに供給される。フィードバック電圧ＶＦＢは、誤差増幅ユニットの入力端子で所定の基準電圧ＶＲＥＦと比較され、比較結果は、ＰＷＭ調光信号のデューティ・サイクルを調節するための制御信号として働くように誤差増幅ユニットによって増幅され、次いで、駆動制御ユニットに供給される。これによって、駆動制御ユニットは、適切なデューティ・サイクルを有するＰＷＭ調光信号を出力するように制御され、それによってＬＥＤランプの動作電圧Ｖｏｕｔに対する調節が実現される。
【０００４】
典型的には、液晶ディスプレイ装置は、表示中に異なる動作モード間で交互に切り替えられる必要があり、例えば、黒いパターン、白いパターン、様々な輝度を有する階調パターンを提供する。したがって、液晶ディスプレイ装置に対する光源として働くＬＥＤランプも、異なるモードの下で、例えば、黒いパターンが提供される場合の低負荷モード、白いパターンが提供される場合の高負荷モード、およびそれらの階調パターンが提供される場合の中間モードで動作する必要がある。上記のモード切り替えの応答速度（または応答時間）は、ディスプレイ装置の画像性能を評価するための重要な指標の１つである。
【０００５】
従来技術では、輝度、誤差、および電圧安定化などの、バックライトにおけるすべてのＬＥＤランプの要求事項を満たすために、バックライト駆動回路の関連するパラメータは、典型的には、最も極端な状況、すなわち、低負荷モードから高負荷モードへの、および高負荷モードから低負荷モードへのスイッチングに応じて設計され、それによってバックライト駆動回路およびそのディスプレイ装置が比較的妥当な応答速度を有するようにしている。そのような「何にでも当てはまる」設計パターンは、簡単で、便利ではあるが、非常に小さな輝度スケールを有するが、実使用においてたいていは出現する中間モードの考慮を怠っているため、全体的に低い応答速度をもたらすことがあり、それによって、例えば、突入（ＩＮＲＵＳＨ）ノイズ、電源システムの不安定性などの問題が生じることがある。したがって、本開示は、従来技術に基づき、異なる負荷モードに対して応答速度を調節することができるバックライト駆動回路、ならびにこのバックライト駆動回路を使用する液晶ディスプレイおよび駆動方法を提供する。
【発明の概要】
【発明が解決しようとする課題】
【０００６】
上記の問題に狙いを定めて、本開示は、異なる負荷モードに対して応答速度を調節することができるバックライト駆動回路、ならびに液晶ディスプレイおよびその駆動方法を提供する。
【課題を解決するための手段】
【０００７】
本開示において提供されるバックライト駆動回路は、バックライトからフィードバック電圧を受け取るように構成されており、フィードバック電圧をベース電圧と比較し、比較結果の大きさに応じて比較結果に対する増幅係数および増幅速度を調節し、増幅結果を制御信号として出力するために使用される、誤差増幅ユニットと、誤差増幅ユニットから制御信号を受け取るように構成されており、制御信号に応じて、電源からバックライトに出力される電圧信号を変調するように、対応するデューティ・サイクルを有するパルス幅変調調光信号を出力するために使用される、駆動制御ユニットと、を備える。
【０００８】
誤差増幅ユニットは、フィードバック電圧を受け取るように相互に結合された比較端子と、異なる基準電圧を受け取る基準端子と、制御信号を出力するように相互に結合された出力端子と、を有する複数の誤差増幅器を含み、基準電圧それぞれがベース電圧と倍数の関係にある。
【０００９】
本開示の実施形態によると、誤差増幅ユニットは、誤差増幅器ＯＰｉを含み、ｉ＝−Ｎ．．．＋Ｎで、Ｎが１以上の整数であり、ｉ番目の増幅器の基準電圧ＶＲＥＦｉがベース電圧ＶＲＥＦ０に関して以下の関係、を満たし、
ＶＲＥＦｉ＝（１＋ｐ×ｉ）ＶＲＥＦ０
ここで、ｐは０よりも大きい調節パラメータである。
【００１０】
本開示の実施形態によると、調節パラメータｐは、０．１に等しい。
【００１１】
誤差増幅器は、鏡像の仕方で分布してもよい。
【００１２】
誤差増幅器は、電流増幅器であってもよい。
【００１３】
バックライト駆動回路は、誤差増幅ユニットに結合された、誤差増幅ユニットに基準電圧を供給するために使用される基準電圧生成ユニットをさらに備える。
【００１４】
加えて、本開示は、表示パネルおよびバックライト・モジュールを含む液晶ディスプレイ装置をさらに提供し、バックライト・モジュールが前述のバックライト駆動回路を含む。
【００１５】
加えて、本開示において、バックライト・フィードバック電圧を収集する収集ステップと、バックライト・フィードバック電圧をベース電圧と比較する比較ステップと、比較結果の大きさに応じて比較結果に対する増幅係数および増幅速度を調節し、増幅結果を制御信号として出力する増幅ステップと、制御信号に応じて、電源からバックライトに出力される電圧信号を変調するように、対応するデューティ・サイクルを有するパルス幅変調調光信号を出力する出力ステップと、を含む、バックライト駆動方法がさらに提供される。
【００１６】
上記の増幅ステップにおいて、比較結果を異なる増幅係数によっておよび異なる増幅速度で増幅するように、比較結果の大きさに応じて、対応する利得を有する対応する量の増幅器を作動させる。
【００１７】
本開示では、既存のバックライト駆動回路に対する改善として、バックライト駆動回路のもとの誤差増幅ユニットが、増幅能力を自動的に調節することができる誤差増幅ユニットと置き換えられ、それによって応答速度を異なる負荷モードの下で自動的に調節することができる。従来技術と比較して、本開示のバックライト駆動回路は、より高い応答速度を有し、それに応じて間接的なやり方でディスプレイ装置の動画像の表示性能を改善することができる。
【００１８】
本開示の他の特徴および利点は、以下の説明に示され、説明から部分的に明らかとなり、または本開示を実施することによって理解され得る。本開示の目的および他の利点も、説明、特許請求の範囲、および添付図面に明示された構造によって実現され、得ることができる。
【図面の簡単な説明】
【００１９】
【図１】従来技術におけるＬＥＤ液晶ディスプレイ装置のバックライト・モジュールの構成物構成図である。
【図２】本開示の一実施形態による液晶ディスプレイ装置のバックライト・モジュールの構成物構成図である。
【図３】図２のバックライト・モジュールにおけるバックライト駆動回路の誤差増幅ユニットの回路構成図である。
【発明を実施するための形態】
【００２０】
変化する負荷モードの下で異なる応答速度を有するバックライト駆動回路を提供するために、既存の液晶ディスプレイ装置のバックライト駆動回路が、本開示において改善される。もとの駆動回路の誤差増幅ユニットは、増幅能力を自動的に調節することができる誤差増幅ユニットによって修正される。特に、本開示において提供されるバックライト駆動回路は、
バックライトからフィードバック電圧を受け取るように構成されており、フィードバック電圧をベース電圧と比較し、次いで、比較結果の大きさに応じて比較結果に対する増幅係数および増幅速度を調節し、増幅結果を制御信号として出力するために使用される、誤差増幅ユニットと、
誤差増幅ユニットから制御信号を受け取るように構成されており、制御信号に応じて、電源からバックライトに出力される電圧信号を変調するように、対応するデューティ・サイクルを有するパルス幅変調調光信号を出力するために使用される、駆動制御ユニットと、を備える。
【００２１】
本開示のバックライト駆動回路の具体的な一実施形態、ならびにその動作原理および達成可能な技術的効果について、ＬＥＤ液晶ディスプレイ装置を例にとって、添付図面に関連して以下で詳細に論じる。
【００２２】
図２は、本開示の一実施形態によるＬＥＤ液晶ディスプレイ装置のバックライト・モジュールの構成図である。バックライト・モジュールは、バックライト駆動回路１００、並列に配置された複数のＬＥＤランプ２００、および電源３００を含み、バックライト駆動回路１００が誤差増幅ユニット１０および駆動制御ユニット２０を含む。
【００２３】
図３に示されるように、誤差増幅ユニット１０は、２Ｎ＋１個の誤差増幅器を含み、これらの誤差増幅器がそれぞれＯＰｉとして印が付けられ、ｉ＝−Ｎ．．．＋Ｎで、Ｎが１以上の整数である。この場合、誤差増幅器のそれぞれの比較端子は、ＬＥＤランプ２００からフィードバック電圧ＶＦＢを受け取るように相互に結合され、一方、誤差増幅器の基準端子は、異なる基準電圧ＶＲＥＦｉを受け取るために使用され、ｉ＝−Ｎ．．．＋Ｎである。誤差増幅器の出力端子は、駆動制御ユニット２０に制御信号を出力するように相互に結合され、それぞれの誤差増幅器の増幅係数がＫｉで、ｉ＝−Ｎ．．．＋Ｎである。
【００２４】
前述の基準電圧ＶＲＥＦｉ（ｉ＝−Ｎ．．．＋Ｎ）は、基準電圧生成ユニットによって提供され得るのが好ましい。初めに、ベース電圧ＶＲＥＦ０を基準電圧生成ユニット内部で生成し、次いで、このベース電圧ＶＲＥＦ０を異なる倍数によって減少させ、または増幅し、最後に、得られた結果を基準電圧ＶＲＥＦｉ（ｉ＝−Ｎ．．．＋Ｎ）として出力し、対応する誤差増幅器ＯＰｉ（ｉ＝−Ｎ．．．＋Ｎ）に供給する。基準電圧生成ユニットは、従来技術につきものであるが、本開示で開示される主要な点ではなく、本明細書では詳細に論じない。
【００２５】
図３に示される実施形態では、基準電圧ＶＲＥＦｉ（ｉ＝−Ｎ．．．＋Ｎ）は、以下の関係を満たす。
ＶＲＥＦｉ＝（１＋ｐ×ｉ）ＶＲＥＦ０
【００２６】
上記の式で、ｐは、０よりも大きな調節パラメータであり、本実施形態では、０．１として設定されてもよい。
【００２７】
この場合、前述の誤差増幅器ＯＰｉ（ｉ＝−Ｎ．．．０）の反転信号入力端子は、対応する基準電圧ＶＲＥＦｉ（ｉ＝−Ｎ．．．０）を受け取るための基準端子として働き、一方、それぞれの誤差増幅器ＯＰｉ（ｉ＝１．．．Ｎ）の同相信号入力端子は、対応する基準電圧ＶＲＥＦｉ（ｉ＝１．．．Ｎ）を受け取るための基準端子として働く。
【００２８】
さらに、誤差増幅器ＯＰｉ（ｉ＝−Ｎ．．．−１）は、誤差増幅器ＯＰｉ（ｉ＝１．．．Ｎ）に対応する同一の要素であってもよく、これによって、誤差増幅器ＯＰ０を中心とした垂直鏡像対称の回路構造を形成することができる。本実施形態では、ＯＰ０＋は、２０μＡを使用する誤差増幅器、ＯＰ−１およびＯＰ＋１は、３０μＡを使用する誤差増幅器、およびＯＰ−２およびＯＰ＋２は、４０μＡを使用する誤差増幅器．．．．である。同様に、ＯＰ−ＮおよびＯＰ＋Ｎは、（Ｎ＋２）×２０μＡを使用する誤差増幅器である。
【００２９】
前述の回路の動作原理は、以下のとおりである。
【００３０】
安定した負荷の場合、ＶＦＢは、安定しており、ＶＦＢ＝ＶＲＥＦ０であり、増幅係数Ｋ０を有する誤差増幅器ＯＰ０のみを、対応する電流Ｉ０を出力するように作動させ、この電流Ｉ０が制御信号として駆動制御ユニット２０に供給される。
【００３１】
不安定な負荷の場合、ＶＦＢは、瞬時に増加または減少し、
０．８ＶＲＥＦ０≦ＶＦＢ＜０．９ＶＲＥＦ０の場合は、増幅係数Ｋ０を有する誤差増幅器ＯＰ０、増幅係数Ｋ−１を有する誤差増幅器ＯＰ−１、および増幅係数Ｋ−２を有する誤差増幅器ＯＰ−２を同時に作動させ、対応する電流Ｉ０、Ｉ−１およびＩ−２をそれぞれ出力し、次いで、電流制御信号Ｉ０、Ｉ−１およびＩ−２の和が制御信号として駆動制御ユニット２０に供給され、
０．９ＶＲＥＦ０≦ＶＦＢ＜ＶＲＥＦ０の場合、増幅係数Ｋ０を有する誤差増幅器ＯＰ０、および増幅係数Ｋ−１を有する誤差増幅器ＯＰ−１を同時に作動させ、対応する電流Ｉ０およびＩ−１をそれぞれ出力し、次いで、電流Ｉ０およびＩ−１の和が制御信号として駆動制御ユニット２０に供給され、
１．１ＶＲＥＦ０≦ＶＦＢ＜１．２ＶＲＥＦ０の場合、増幅係数Ｋ０を有する誤差増幅器ＯＰ０、および増幅係数Ｋ＋１を有する誤差増幅器ＯＰ＋１を同時に作動させ、対応する電流Ｉ０よびＩ＋１をそれぞれ出力し、次いで、電流Ｉ０およびＩ＋１の和が制御信号として駆動制御ユニット２０に供給され、
１．２ＶＲＥＦ０≦ＶＦＢ＜１．３ＶＲＥＦ０の場合、増幅係数Ｋ０を有する誤差増幅器ＯＰ０、増幅係数Ｋ＋１を有する誤差増幅器ＯＰ＋１、および増幅係数Ｋ＋２を有する誤差増幅器ＯＰ＋２を同時に作動させ、対応する電流Ｉ０、Ｉ＋１およびＩ＋２をそれぞれ出力し、次いで、電流Ｉ０、Ｉ＋１およびＩ＋２の和が制御信号として駆動制御ユニット２０に供給される。
【００３２】
同様に、フィードバック電圧ＶＦＢとベース電圧ＶＲＥＦ０との差の絶対値が大きいほど、同時に作動する、誤差増幅ユニット１０における誤差増幅器がより多くなる。言いかえれば、フィードバック電圧ＶＦＢとベース電圧ＶＲＥＦ０との差の絶対値が大きいほど、誤差増幅ユニット１０全体の増幅能力がより強力となり、増幅係数および増幅速度がより高くなり、それによって誤差増幅ユニット１０の調整能力がより強力になる。
【００３３】
図２に示されるように、駆動制御ユニット２０は、制御信号を受け取るように誤差増幅ユニット１０に結合され、制御信号に基づいて鋸波信号を変調し、対応するデューティ・サイクルを有するＰＷＭ調光信号を出力する。ＰＷＭ調光信号は、電源３００の出力端子に印加され、電源３００からＬＥＤランプ２００に出力される電圧信号Ｖｉｎを変調し、変調された電圧信号Ｖｏｕｔが、ＬＥＤランプ２００を駆動するためにＬＥＤランプ２００に印加される。
【００３４】
前述の実施形態において、鋸波信号は、鋸波信号生成ユニット４０によって提供されてもよい。その構成は、従来技術につきものであるため、したがって、本明細書では詳細に説明しない。
【００３５】
前述の実施形態において、誤差増幅ユニット１０が受け取るフィードバック電圧ＶＦＢは、複数のＬＥＤランプ２００のうちの１つの電圧である。このような次第であるので、複数のＬＥＤランプ２００のうちの１つのあるランプの電圧をある瞬間にフィードバック電圧ＶＦＢとして選択するために、誤差増幅ユニット１０とＬＥＤランプ２００との間に電圧選択ユニット５０を配置することがさらに必要であり、誤差増幅ユニット１０に電圧を供給する。当然ながら、１つの誤差増幅ユニット１０がＬＥＤランプのそれぞれに対して設けられている場合は、電圧選択ユニット５０を配置する必要がない場合がある。
【００３６】
ＰＷＭ調光信号のデューティ・サイクルは、誤差増幅ユニット１０からの制御信号によって制御され、一方、ＬＥＤランプ２００の動作電圧Ｖｏｕｔは、ＰＷＭ調光信号のデューティ・サイクルによって調整され、ＬＥＤランプ２００の動作輝度は、動作電圧Ｖｏｕｔによって調節されることが、上記からわかる。したがって、制御信号出力に対する誤差増幅ユニット１０の調整能力は、これらによってディスプレイ装置の応答速度に影響を与えることができる。
【００３７】
前述の駆動回路１００の動作中に、１つのＬＥＤランプの電圧が、フィードバック電圧ＶＦＢとして、ある特定の瞬間に誤差増幅ユニット１０に供給されると仮定されている。このＬＥＤランプが安定した動作状態の下にある場合、誤差増幅ユニット１０の増幅係数Ｋ０を有する増幅器ＯＰ０のみを作動させ、対応する制御信号Ｉ０を駆動制御ユニット２０に出力する。そうではなく、ＬＥＤランプの動作状態が変化する場合は、フィードバック電圧ＶＦＢは、瞬間的にベース電圧ＶＲＥＦ０よりも大きくなることがある。この条件では、ベース電圧を１０％だけ超えると、増幅係数Ｋ０を有する増幅器ＯＰ０および増幅係数Ｋ＋１を有する増幅器ＯＰ＋１を同時に作動させる。その結果、増幅器ＯＰ０およびＯＰ＋１は、駆動制御ユニットに出力される制御信号を速やかに調節するように一斉に動作することができ、それによって、高い応答速度が提供される。ベース電圧を２０％だけ超えると、増幅係数Ｋ０を有する増幅器ＯＰ０、増幅係数Ｋ＋１を有する誤差増幅器ＯＰ＋１、および増幅係数Ｋ＋２を有する誤差増幅器ＯＰ＋２を同時に作動させる。その結果、増幅器ＯＰ０、ＯＰ＋１、およびＯＰ＋２は、駆動制御ユニットに出力される制御信号を速やかに調節するように一斉に動作することができ、それによって、はるかに高い応答速度が提供される。これによって、応答速度に対する階層的調節の技術的な効果を実現することができる。要約すると、本開示において提供されるバックライト駆動回路は、対応する利得を有する対応する量の増幅器を作動させ、印加されるフィードバック電圧ＶＦＢと所定のベース電圧ＶＲＥＦ０との差に基づいて誤差調節に関与することができ、それによって、応答速度を調節し、かつ差別化された処理を実現するように異なる条件に関して誤差調節能力を調節することができる。
【００３８】
加えて、本開示は、バックライト・モジュールを含む液晶ディスプレイ装置をさらに提供し、バックライト・モジュールが、バックライトを駆動するために本開示において提供されるバックライト駆動回路を備える。
【００３９】
本開示の好ましい特定の実施形態について上記したが、本開示の保護範囲はそれに限定されず、例えば、電圧増幅器を使用して本開示の誤差増幅ユニットを構成することもできる。本開示の開示された技術的な範囲内で、当業者なら誰によってでも容易に考えられるいかなる変形形態または代替形態も、本開示の保護範囲内に包含されるものとする。したがって、本開示の保護範囲は、特許請求の範囲の保護範囲に従うものとする。
【図１】
0006309101.tif 000002
【図２】
0006309101.tif 000003
【図３】
0006309101.tif 000004